(57)【要約】【課題】  装飾体を外して靴下本体のみを通常の靴下と同様に着用できると共に、装飾体を他のものと変えることができ、靴下本体が破損しても、靴下本体のみを交換して装飾体を再利用することが可能な装飾体付靴下を提供すること。【解決手段】  靴下本体１と、靴下本体１の表面に着脱自在に取り付けられた装飾体２とから成り、装飾体２は、靴下本体１に先端からねじ込まれた螺旋状の留め具３と、留め具３の基端部に装着された装飾部４とを有する。【選択図】  図１
0003114621.tif 000002
【実用新案登録請求の範囲】
【請求項１】
靴下本体と、該靴下本体の表面に着脱自在に取り付けられた装飾体とから成り、前記装飾体は、前記靴下本体に先端からねじ込まれた螺旋状の留め具と、該留め具の基端部に装着された装飾部とを有する装飾体付靴下。
【請求項２】
前記留め具の先端部を保護部材で被覆した請求項１に記載の装飾体付靴下。
【請求項３】
前記装飾体は、紐状の装飾部の一端部に前記留め具を装着して成る請求項１又は２に記載の装飾体付靴下。
【請求項４】
前記装飾体は、紐状の装飾部の両端部にそれぞれ前記留め具を装着して成る請求項１又は２に記載の装飾体付靴下。
【考案の詳細な説明】
【技術分野】
【０００１】
本考案は、装飾体付靴下に関する。
【背景技術】
【０００２】
靴下の表面には、刺繍や織り柄によって装飾を施すことがある。
また、従来、靴下本体の胴部に、取付ベースの表面に装飾図形を施して成る装飾材を取り付けた飾り付靴下が公知である（特許文献１参照）。
しかし、これらの靴下は、装飾部分を着脱することができないので、常に同じ装飾部分を装着して着用することになり、靴下が破れると装飾部分も廃棄しなければならなかった。
【０００３】
さらに、靴下に面ファスナー等の装飾物止着片を敷設し、装飾物止着片と係脱可能な面ファスナー等の止着部を具備した複数の装飾物を設けたものが知られている（特許文献２参照）。
このものは、装飾物を任意に交換することができるが、装飾物止着片を有する特殊な靴下でなければ、装飾物を取り付けることができず、装飾物を外したときには装飾物止着片が露出してしまい、靴下が破損すると装飾部止着片も廃棄しなければならない。
【０００４】
【特許文献１】特開平８−１８８９０１号公報
【特許文献２】実開昭６３−２８６８６号公報
【考案の開示】
【考案が解決しようとする課題】
【０００５】
本考案の解決しようとする課題は、装飾体を外して靴下本体のみを通常の靴下と同様に着用できると共に、装飾体を他のものと変えることができ、靴下本体が破損しても、靴下本体のみを交換して装飾体を再利用することが可能な装飾体付靴下を提供することにある。
【課題を解決するための手段】
【０００６】
本考案の装飾体付靴下は、靴下本体と、該靴下本体の表面に着脱自在に取り付けられた装飾体とから成り、前記装飾体は、前記靴下本体に先端からねじ込まれた螺旋状の留め具と、該留め具の基端部に装着された装飾部とを有する。
前記留め具の先端部を保護部材で被覆すると良い。
前記装飾体は、紐状の装飾部の一端部に前記留め具を装着したものであっても、紐状の装飾部の両端部にそれぞれ前記留め具を装着したものであっても良い。
【考案の効果】
【０００７】
本考案によれば、靴下本体に装飾体を取り付けたり、外したり、或いは他の装飾体と交換して様々なデザインを楽しむことができ、靴下本体が破れても、装飾体を別の靴下本体に取り付けて再利用することが可能である。
また、留め具を靴下本体にねじ込むだけで、装飾体を簡単に取り付けることができ、靴下本体は装飾体を装着するための特別な構造とする必要がない。
さらに、留め具は螺旋状に形成してあるので、靴下本体裏面の比較的広い範囲に係止して圧力が分散されるため、靴下本体が傷みにくい。
【考案を実施するための最良の形態】
【０００８】
装飾体付靴下は、靴下本体と、靴下本体の表面に着脱自在に取り付けられた装飾体とから成る。装飾体は、靴下本体に先端からねじ込まれた螺旋状の留め具と、留め具の基端部に装着された装飾部とを有する。装飾体を靴下本体から取り外すには、留め具をねじ込みの際と逆回りに回転させる。
以下、本考案の実施例を図面に基づいて詳細に説明する。
【実施例１】
【０００９】
図１〜図３は、本考案の実施例１を示す。
装飾体付靴下は、図１及び図２に示すように、靴下本体１と、靴下本体１に着脱自在に取り付けられた装飾体２とから成る。
靴下本体１は、比較的厚手のハイソックスやタイツとする。
【００１０】
装飾体２は、図３に示すように、留め具３と装飾部４とを有する。
留め具３は、細い金属棒を基端から先端に向かって次第に径が大きくなるよう螺旋状に巻いたものである。また、留め具３の先端部はプラスチック製の保護部材５で被覆され、着用者の皮膚を傷つけないようになっている。
装飾部４は、リボン、花、動物等の適宜形状に形成した金属製の台座６の表面に装飾ガラスをはめ込んである。台座６は、留め具３の基端部にロウ付け等によって固定されている。
【００１１】
装飾体２を靴下本体１の表面に装着するには、靴下本体１の適宜部位に、留め具３をその先端から、留め具３のほぼ全体が靴下本体１の裏面側に進入するまでねじ込み、装飾部４を靴下本体１の表面に露出させる。
また、装飾体２を靴下本体１に装着すると、螺旋状の留め具３が比較的広い範囲において靴下本体１の裏面に引っかかり、圧力が分散するため、靴下本体１が傷みにくい。
装飾体２を外すには、留め具３をねじ込みの際と逆回りに回転させればよい。
なお、装飾体２の装飾部４は、布やプラスチックを適宜形状に成形したり、彩色や模様を描くことによって装飾を施したものであっても良い。
【実施例２】
【００１２】
図４は、本考案の実施例２を示す。
装飾体２の装飾部４は、それぞれ装飾ガラスをはめ込んだ多数の金属台８を一列に連結して成る２本の紐状部材９をその上端で連結し、やや大きめの装飾ガラスをはめ込んだ装飾部材１０から吊り下げてある。紐状部材９の長さはそれぞれ１０ｃｍ〜１５ｃｍ程度とする。
そして、装飾部材１０を留め具３の基端部に固定して、装飾部４を留め具３に取り付けてある。
留め具３を靴下本体１にねじ込んで装飾体２を取り付けると、２本の紐状部材９が靴下本体１の表面に垂れ下がり、着用者の動きに伴って揺れるので、装飾性が高い。
なお、紐状部材９の数及び長さは適宜変更することができ、模造真珠やビーズを連結したものを用いても良い。
その他の構成及び使用方法は実施例１とほぼ同様なので、詳細な説明を省略する。
【実施例３】
【００１３】
図５〜図７は、本考案の実施例３を示す。
図５に示すように、装飾体２の装飾部４は、多数の金属片を連結した３本の紐状部材９’の両端を、それぞれ金属環１１で連結して成る。３本の紐状部材９’の長さは４０ｃｍ前後であり、互いに異なる長さとしてある。
図６に示すように、留め具３の基端部には、花等を模した装飾部材１０’が固定され、装飾部材１０’の基部を装飾部４の端部に設けた金属環１１へ挿通することにより、装飾部４の両端部に留め具３を装着してある。
【００１４】
この装飾体２を靴下本体１に装着するには、図７に示すように、装飾部４を靴下本体１のすね部表面等に巻き付けて、その両端に取り付けられた留め具３を、靴下本体１のふくらはぎ部等の適宜個所へねじ込む。
なお、紐状部材９’の数や素材、装飾部材１０’の形状、装飾部４の留め具３に対する取付構造等は適宜変更することができる。
その他の構造は、実施例１又は２とほぼ同様である。
【図面の簡単な説明】
【００１５】
【図１】実施例１を示す装飾体付靴下の分解斜視図。
【図２】実施例１を示す装飾体付靴下の斜視図。
【図３】実施例１に係る装飾体の裏面図。
【図４】実施例２に係る装飾体の正面図。
【図５】実施例３に係る装飾体の斜視図。
【図６】実施例３に係る装飾体の要部側面図。
【図７】実施例３を示す装飾体付靴下の斜視図。
【符号の説明】
【００１６】
１  靴下本体
２  装飾体
３  留め具
４  装飾部
５  保護部材
６  台座
８  金属台
９，９’  紐状部材
１０，１０’  装飾部材
１１  金属環
【図１】
0003114621.tif 000003
【図２】
0003114621.tif 000004
【図３】
0003114621.tif 000005
【図４】
0003114621.tif 000006
【図５】
0003114621.tif 000007
【図６】
0003114621.tif 000008
【図７】
0003114621.tif 000009